(57)【要約】【課題】マークの交換作業を容易にすると共に、マークの表示位置をフレキシブルにし、またその取り付け構造を簡素化し、低コストにて実現することができる自動販売機を提供する。【解決手段】ポスター展示部８において、電照板３の内側に設けた平面状の保持部１０（ａ）に、マークの印刷されたパネル１１に開けられた穴１２を引っ掛けて固定することによって、パネル１１を持ち上げて保持部１０（ａ）から引っ掛けている穴１２を外す作業のみであるために、マークの交換作業性を容易に行うことができ、また保持部１０（ａ）を設ける位置を上下左右に自由に決められることで、マークの表示位置をフレキシブルにでき、そして固定部品等を使用しないために、取り付け構造を簡素化し低コストにて実現できる【選択図】図１
2010044743.tif 000002
【特許請求の範囲】
【請求項１】
自動販売機本体の前面に一端をヒンジ結合した外扉内に設けられたポスター展示部において、電照板の内側に設けた平面状の保持部に、マークの印刷されたパネルに開けられた穴を引っ掛けて固定することを特徴とする自動販売機。
【請求項２】
保持部先端ピッチをパネル穴ピッチより短くし、前記パネルを湾曲可能としたことを特徴とする請求項１に記載の自動販売機。
【請求項３】
平面から突出した保持部に、穴の開いたパネルを引っ掛けて固定させることを特徴とする請求項１または２に記載の自動販売機。
【請求項４】
前記保持部を階段状に形成したことを特徴とする請求項１から３のいずれか一項に記載の自動販売機。
【請求項５】
前記保持部に凸部を備えたことを特徴とする請求項１から４のいずれか一項に記載の自動販売機。
【発明の詳細な説明】
【技術分野】
【０００１】
本発明は自動販売機の外扉構造に関するものである。
【背景技術】
【０００２】
近年、自動販売機においてはロゴマーク等の設置先対応やその場合の作業性向上、また自動販売機本体のコストダウンが要求されている。
【０００３】
従来の自動販売機の外扉構造としては特許文献１に示されているものがある。
【０００４】
以下、図面を参照しながら上記従来の自動販売機の外扉構造について説明する。図６（ａ）は、従来の自動販売機のサブ電照板の部分正面図であり、図６（ｂ）は、そのＢ−Ｂ断面図であり、図７は、従来の自動販売機の正面斜視図である。図６、図７に示すように、従来の自動販売機は、自動販売機本体１の前面に一端をヒンジ結合して設けた外扉２と、外扉２に内設された電照板３、外扉２の上部に設けられた窓４の背面側に設けられた透明板５とマークの印刷されたシート６を固定する保持金具７とから構成されている。
【０００５】
以上のように構成された自動販売機について、以下その動作を説明する。
【０００６】
マークを変更しようとした時、外扉２を開けた状態で保持金具７を外す事によりシート６を外せる状態になる。そして新たに用意したシート６と交換することができる。
【先行技術文献】
【特許文献】
【０００７】
【特許文献１】特開平９−５４８７１号公報
【発明の概要】
【発明が解決しようとする課題】
【０００８】
しかしながら、従来の構成は、マークを交換する時に、保持金具７をわざわざ外さなければならず、また透明板５の固定もなくなるためシート６の取付け作業性も悪くなるといったことや、マークの表示位置が限られてしまうといったこと、そして交換可能にするためにコストをかけなければならないという欠点があった。
【０００９】
本発明は従来の課題を解決するもので、マークの交換作業を容易にすると共に、マークの表示位置をフレキシブルにし、またその取り付け構造を簡素化し、低コストにて実現できる自動販売機を提供することを目的とする。
【課題を解決するための手段】
【００１０】
上記従来の課題を解決するために、本発明の自動販売機は、自動販売機本体の前面に一端をヒンジ結合した外扉内に設けられたポスター展示部において、電照板の内側に設けた平面状の保持部に、マークの印刷されたパネルに開けられた穴を引っ掛けて固定したものである。
【００１１】
これによって、パネルを持ち上げて保持部から引っ掛けている穴を外す作業のみであるために、マークの交換作業性を容易に行うことができるという作用と、保持部を設ける位置を上下左右に自由に決められることで、マークの表示位置をフレキシブルにできるという作用と、固定部品等を使用しないために、取り付け構造を簡素化し低コストにて実現できるという作用を有する。
【発明の効果】
【００１２】
本発明の自動販売機は、マークの交換作業を容易にすると共に、マークの表示位置をフレキシブルにし、またその取り付け構造を簡素化し、低コストにて実現することができる。
【図面の簡単な説明】
【００１３】
【図１】（ａ）本発明による自動販売機の実施の形態１のパネル装着時の扉内側からの正面図、（ｂ）その側面図
【図２】本発明による自動販売機の実施の形態２のパネル装着時の扉内側からの正面図
【図３】（ａ）本発明による自動販売機の実施の形態３のパネル装着時の扉内側からの正面図、（ｂ）その側面図
【図４】（ａ）本発明による自動販売機の実施の形態４のパネル装着時の扉内側からの正面図、（ｂ）その保持部の部分拡大図
【図５】（ａ）本発明による自動販売機の実施の形態５のパネル装着又は着脱時の部分拡大図、（ｂ）その平面図
【図６】（ａ）従来の自動販売機の外扉の部分正面図、（ｂ）そのＢ−Ｂ断面図
【図７】従来の自動販売機の正面斜視図
【発明を実施するための形態】
【００１４】
請求項１に記載の発明は、自動販売機本体の前面に一端をヒンジ結合した外扉内に設けられたポスター展示部において、電照板の内側に設けた平面状の保持部に、マークの印刷されたパネルに開けられた穴を引っ掛けて固定したものであり、パネルを持ち上げて保持部から引っ掛けている穴を外す作業のみであるために、マークの交換作業性を容易に行うことができ、また保持部を設ける位置を上下左右に自由に決められることで、マークの表示位置をフレキシブルにできるとともに、固定部品等を使用しないために、取り付け構造を簡素化し低コストにて実現できる。
【００１５】
請求項２に記載の発明は、請求項１に記載の発明において、保持部先端ピッチをパネル穴ピッチより短くし、前記パネルを湾曲可能としたものであり、外扉を開けてパネルが外部に露出している時に、風が吹いたり又体が当たったりした場合に保持部から穴が外れパネルを紛失してしまうことを防止できる。
【００１６】
請求項３に記載の発明は、請求項１または２に記載の発明において、平面から突出した保持部に、穴の開いたパネルを引っ掛けて固定したものであり、パネル飛び出し部分形状の挿入口が不必要になり、保持部の強度低下を防止できる。
【００１７】
請求項４に記載の発明は、請求項１から３のいずれか一項に記載の発明において、前記保持部を階段状に形成したものであり、外扉を開けてパネルが外部に露出している時に、風が吹いたり又体が当たったりした場合に保持部から穴が外れパネルを紛失してしまうことを防止できる。
【００１８】
請求項５に記載の発明は、請求項１から４のいずれか一項に記載の発明において、前記保持部に凸部を備えたものであり、外扉を開けてパネルが外部に露出している時に、風が吹いたり又体が当たったりした場合に保持部から穴が外れパネルを紛失してしまうことを確実に防止できる。
【００１９】
以下、本発明の実施の形態について図面を参照しながら説明するが、従来例または先に説明した実施の形態と同一構成については同一符号を付して、その詳細な説明は省略する
。なお、この実施の形態によってこの発明が限定されるものではない。
【００２０】
（実施の形態１）
図１（ａ）は、本発明の実施の形態１による自動販売機のパネル装着時の扉内側からの正面図、（ｂ）はその側面図である。
【００２１】
図１（ａ）、（ｂ）に示すように、自動販売機本体１の前面に一端をヒンジ結合した外扉２内に設けられたポスター展示部８において、電照板３の内側に設けられた電照板３の上部固定部材９に設けられた平面状の保持部１０（ａ）に、マークの印刷されたパネル１１に開けられた穴１２を引っ掛けて固定している。この時パネル１１の上辺部１３は保持部１０（ａ）の周りに設けられた挿入口１４に入れられている。
【００２２】
以上にように構成された自動販売機について、以下その動作、作用を説明する。
【００２３】
まず、外扉２を開けた状態にて、パネル１１を保持部１０（ａ）の先端部方向に持ち上げることにより穴１２が保持部１０（ａ）から外れる。次に、下方に移動させることで挿入口１４よりパネル１１が外れる状態になる。そして新たなパネル１１を取り付ける場合には外す動作と逆の動作をする。以上のようにパネル１１の交換を行う場合に部品を外す作業を省略できることにより、作業を容易にできる。また、今回は上部固定部品９に保持部１０（ａ）を設けたが他の位置に保持部１０（ａ）を設けることで、マークの表示位置をフレキシブルに変えることができる。そして、パネル１１は保持部１０（ａ）に引っ掛けているだけで固定部品等を使用しないために、取り付け構造を簡素化し低コストにて実現できる。
【００２４】
以上のように本実施の形態の自動販売機は自動販売機本体１の前面に一端をヒンジ結合した外扉２内に設けられたポスター展示部８において、電照板３の内側に設けた平面状の保持部１０（ａ）に、マークの印刷されたパネル１１に開けられた穴１２を引っ掛けて固定したものから構成されているので、パネル１１を持ち上げて保持部１０（ａ）から引っ掛けている穴１２を外す作業のみであるために、マークの交換作業性を容易に行うことができ、また保持部１０（ａ）を設ける位置を上下左右に自由に決められることで、マークの表示位置をフレキシブルにできるとともに、固定部品等を使用しないために、取り付け構造を簡素化し低コストにて実現できる。
【００２５】
（実施の形態２）
図２は、本発明の実施の形態２による自動販売機のパネル装着時の扉内側からの正面図である。
【００２６】
図２において保持部１０（ｂ）先端ピッチ１５はパネル１１の穴ピッチ１６より短くしたもので、前記パネル１１は湾曲可能な材料と板厚を選択したものである。
【００２７】
本実施の形態は、実施の形態１による自動販売機において、保持部１０（ｂ）の形状を鎌形状１７（ａ）にし、保持部１０（ｂ）の相対するように保持部１０（ｃ）の形状も鎌形状１７（ｂ）にするとともに保持部１０（ｂ）、１０（ｃ）のピッチ１５をパネル１１の穴ピッチ１６より短くし、またパネル１１を湾曲可能な材料と板厚にしたものである。
【００２８】
以上のように構成された自動販売機について、以下その動作、作用を説明する。
【００２９】
まず、外扉２を開けた状態にて、パネル１１を穴ピッチ１６が保持部１０（ｂ）、１０（ｃ）のピッチ１５と同一になるように湾曲させながら保持部１０（ｂ）、１０（ｃ）の先端部方向に持ち上げることにより穴１２が保持部１０（ｂ）、１０（ｃ）から外れる。
次に、下方に移動させることで挿入口１４よりパネル１１が外れる状態になる。そして新たなパネル１１を取り付ける場合には外す動作と逆の動作をする。この作業中に、風が吹いたり、また作業者の体がパネル１１に当たったりした場合にパネル１１は保持部１０（ｂ）、１０（ｃ）の先端部方向に持ち上がることがある。その時にでも穴１２の周辺部１８が鎌形状１７（ａ）、（ｂ）に当たり穴１２が保持部１０（ｂ）、１０（ｃ）より外れることは無い。
【００３０】
以上のように本実施の形態の自動販売機は、保持部先端ピッチ１５をパネル１１の引っ掛け穴ピッチ１６より短くし、前期パネル１１を湾曲可能な材料と板厚を選択したものであることにより、外扉２を開けてパネル１１が外部に露出している時に、風が吹いたり又体が当たったりした場合に保持部１０（ｂ）、１０（ｃ）から穴１２が外れパネル１１を紛失してしまうことを防止することができる。
【００３１】
（実施の形態３）
図３（ａ）は、本発明の実施の形態３による自動販売機のパネル装着時の正面図であり、（ｂ）はその側面図である。
【００３２】
図３（ａ）、（ｂ）において保持部１０（ｄ）、１０（ｅ）は平面から突出した形状にしたものであり、穴１２の開いたパネル１１を引っ掛けて固定している。
【００３３】
本実施の形態は、実施の形態２による自動販売機において、保持部１０（ｄ）、１０（ｅ）を突出した形状に設けたものであり、そして保持部１０（ｄ）、１０（ｅ）の周りに設けられた挿入口１４を廃止したものである。
【００３４】
以上にように構成された自動販売機について、以下その動作、作用を説明する。
【００３５】
まず、外扉２を開けた状態にて、パネル１１を穴ピッチ１６が保持部１０（ｄ）、１０（ｅ）のピッチ１５と同一になるように湾曲させながら保持部１０（ｄ）、１０（ｅ）の先端部方向に持ち上げることにより穴１５が保持部１０（ｄ）、１０（ｅ）から外れる。そして新たなパネル１１を取り付ける場合には外す動作と逆の動作をする。この時、挿入口１４があると保持部１０（ｄ）、１０（ｅ）の強度が低下し変形等の問題が起こることが懸念されるが、この作業中にパネル１１の上辺部１３は保持部１０（ｄ）、１０（ｅ）の周りに設けられた挿入口１４に入れずに外すことができるので挿入口１４は廃止することができ、強度の低下による変形を防止することができる。
【００３６】
以上のように本実施の形態の自動販売機は、平面から突出した保持部１０（ｄ）、１０（ｅ）に、穴１２の開いたパネル１１を引っ掛けて固定しているので、パネル１１飛び出し部分形状の挿入口１４が不必要になり、保持部１０（ｄ）、１０（ｅ）の強度低下を防止することができる。
【００３７】
（実施の形態４）
図４（ａ）は、本発明の実施の形態４による自動販売機のパネル装着時の扉内側からの正面図、（ｂ）はその保持部の部分拡大図である。なお、実施の形態１ないし３と同一構成については、同一符号を付して詳細な説明を省略する。
【００３８】
図４（ａ）、（ｂ）において保持部１０（ｆ）は階段形状１９（ａ）、１９（ｂ）を設けたものである。具体的には、保持部１０（ｆ）の形状を階段形状１９（ａ）及び、階段形状１９（ａ）を平行移動しかつパネル１１の板厚分（ｔ）以上垂直上方向にずらした階段形状１９（ｂ）にしたものである。
【００３９】
以上のように構成された自動販売機について、以下その動作、作用を説明する。
【００４０】
まず、外扉２を開けた状態にて、パネル１１を穴１２の周辺部１８が階段形状１９（ｂ）の下辺部２０（ａ）に当たるまで持ち上げる。そして穴１２が階段形状１９（ａ）の左辺部２１（ａ）に当たるまで、階段形状１９（ａ）と階段形状１９（ｂ）にパネル１１の板厚分以上の段差があるために移動させることが出来る。そして穴１２の周辺部１８が階段形状１９（ｂ）の下辺部２０（ｂ）に当たるまで持ち上げる。そして穴１２が階段形状１９（ａ）の左辺部２１（ｂ）に当たるまで移動させることが出来るから先端部方向に持ち上げることにより穴１２が保持部１０（ｆ）から外れる。次に、下方に移動させることで挿入口１４よりパネル１１が外れる状態になる。そして新たなパネル１１を取り付ける場合には外す動作と逆の動作をする。この作業中に、風が吹いたり、また作業者の体がパネル１１に当たったりした場合にパネル１１は保持部１０（ｆ）の先端部方向に持ち上がることがある。その時にでも穴１２の周辺部１８が階段形状１９（ｂ）に当たり穴１２が保持部１０（ｆ）より外れることは無い。
【００４１】
以上のように本実施の形態の自動販売機は、保持部形状を階段状１９（ａ）、１９（ｂ）にしているために、外扉２を開けてパネル１１が外部に露出している時に、風が吹いたり又体が当たったりした場合に保持部１０（ｆ）から穴１２が外れパネル１１を紛失してしまうことを防止できる。
【００４２】
（実施の形態５）
図５（ａ）は、本発明の実施の形態５による自動販売機のパネル装着又は着脱時の部分拡大図、（ｂ）はその平面図である。なお、実施の形態１ないし４と同一構成については、同一符号を付して詳細な説明を省略する。
【００４３】
図５（ａ）、（ｂ）において保持部１０（ｇ）はパネル１１に開けられた穴１２の一部と同寸法以上の凸形状２２を設けたものであり、パネル１１を引っ掛けて固定している。具体的には、保持部１０（ｇ）はパネル１１に開けられた穴１２の一部と同寸法以上の凸形状２２を設けたものである。
【００４４】
以上のように構成された自動販売機について、以下その動作、作用を説明する。
【００４５】
まず、外扉２を開けた状態にて、パネル１１を保持部１０（ｇ）の先端部方向に持ち上げることにより穴１２が保持部１０（ｇ）の凸形状２２に当たる。凸形状２２上を穴１２が移動出来るように力を加えることにより、穴１２が保持部１０（ｇ）から外れる。次に、下方に移動させることで挿入口１４よりパネル１１が外れる状態になる。そして新たなパネル１１を取り付ける場合には外す動作と逆の動作をする。この作業中に、風が吹いたり、また作業者の体がパネル１１に当たったりした場合にパネル１１は保持部１０（ｇ）の先端部方向に持ち上がることがある。その時にでも穴１２が凸形状２２に当たり穴１２が保持部１０（ｇ）より外れることは無い。
【００４６】
以上のように本実施の形態の自動販売機は、保持部１０（ｇ）にパネル１１に開けられた穴１２の一部と同寸法以上の凸形状２２を設けていることにより、外扉２を開けてパネル１１が外部に露出している時に、風が吹いたり又体が当たったりした場合に保持部１０（ｇ）から穴１２が外れパネル１１を紛失してしまうことを防止することができる。
【産業上の利用可能性】
【００４７】
以上のように、本発明にかかる自動販売機は、マークの交換作業を容易にすると共に、その取り付け構造を簡素化し、低コストにて実現することができる。
【符号の説明】
【００４８】
１  自動販売機本体
２  外扉
３  電照板
８  ポスター展示部
１０（ａ）、１０（ｂ）、１０（ｃ）、１０（ｄ）、１０（ｅ）  保持部
１０（ｆ）、１０（ｇ）  保持部
１１  パネル
１２  穴
１５  保持部先端ピッチ
１６  引っ掛け穴ピッチ
１９（ａ）、１９（ｂ）  階段形状
２２  凸形状
【図４】
2010044743.tif 000003
【図５】
2010044743.tif 000004
【図１】
2010044743.tif 000005
【図２】
2010044743.tif 000006
【図３】
2010044743.tif 000007
【図６】
2010044743.tif 000008
【図７】
2010044743.tif 000009